(57)【要約】  本発明は、固体照明装置を用いた使用のための、統合された電源及び制御ユニットを提供する。該統合された電源及び制御ユニットは、電力入力部とデータ入力部とを有する。該電力入力部は、電源から電力を受信し、該電力は第１の電力フォーマットで構成されている。前記データ入力部は制御データ源から制御データを受信し、該制御データは第１のデータフォーマットで構成されている。該統合された電源及び制御ユニットは更に、前記電力入力部及びデータ入力部に結合された変換装置を有する。該変換装置は、第１の電力フォーマットの電力を第２の電力フォーマットの電力へと変換するように構成され、更に、第１のデータフォーマットの制御データを、第２のデータフォーマットの制御データへと変換するように構成される。該第２の電力フォーマット及び第２のデータフォーマットは、前記固体照明装置の必要とされる電力及びデータのフォーマットに準拠するものであり、電力及びデータ出力部を利用して前記固体照明装置の必要とされる電力及びデータのフォーマットを送信する。
2009534786.tif 000002
【特許請求の範囲】
【請求項１】
固体照明装置を用いた使用のために構成された、統合された電源及び制御ユニットであって、
電源への接続のために構成された、第１の電力フォーマットの電力を受信するための電力入力部と、
制御データの供給源への接続のために構成された、第１のデータフォーマットの制御データを受信するためのデータ入力部と、
前記電力入力部及び前記データ入力部に結合された変換装置であって、前記第１の電力フォーマットの電力を第２の電力フォーマットの電力へと変換するように構成された電力変換ユニットを含み、前記第１のデータフォーマットの制御データを、第２のデータフォーマットの制御データへと変換するように構成されたデータ変換ユニットを含む変換装置と、
前記固体照明装置への接続のために構成された、前記第２の電力フォーマットの電力及び前記第２のデータフォーマットの制御データを前記固体照明装置へと送信する、電力及びデータ出力部と、
を有し、これにより前記第１の電力フォーマット及び前記第１のデータフォーマットとは独立して、必要とされるフォーマットで電力及び制御データを前記固体照明装置へと供給する、統合された電源及び制御ユニット。
【請求項２】
前記電力変換ユニットは、前記第２の電力フォーマットへの変換に先立って、前記第１の電力フォーマットを所定の電圧レベルへと増幅するように構成された、請求項１に記載の統合された電源及び制御ユニット。
【請求項３】
前記電力変換ユニットは、前記第１の電力フォーマットを自動的に識別するように構成されたハードウェア及び／又はファームウェアを有する、請求項１に記載の統合された電源及び制御ユニット。
【請求項４】
前記電力変換ユニットは、前記第１の電力フォーマットの自動的な識別に基づいて、電力変換プロセスを再構成するように構成された、請求項３に記載の統合された電源及び制御ユニット。
【請求項５】
前記変換ユニットは、動作パラメータを要求するために前記固体照明装置にクエリ送信する、請求項１に記載の統合された電源及び制御ユニット。
【請求項６】
前記動作パラメータは、前記第１の電力フォーマットの識別子を含む、請求項５に記載の統合された電源及び制御ユニット。
【請求項７】
前記電力変換ユニットは、特定の第１の電力フォーマットを、特定の第２の電力フォーマットへと変換するように構成された、請求項１に記載の統合された電源及び制御ユニット。
【請求項８】
前記電力変換ユニットは、前記統合された電源及び制御ユニットとの交換可能な相互接続が可能なモジュール又は回路基板として構成された、請求項７に記載の統合された電源及び制御ユニット。
【請求項９】
前記電力変換ユニットは、バック型、ブースト型、バック−ブースト型、セピック型及びフライバック型を有する群から選択される電源である、請求項１に記載の統合された電源及び制御ユニット。
【請求項１０】
前記電力変換ユニットは、線形調整電源又はスイッチモード調整電源である、請求項１に記載の統合された電源及び制御ユニット。
【請求項１１】
前記データ変換ユニットは、変換パラメータが保存されたメモリを有する、請求項１に記載の統合された電源及び制御ユニット。
【請求項１２】
前記変換パラメータは、それぞれが第１のデータフォーマットと第２のデータフォーマットとの間の相関を定義する１以上のアルゴリズムである、請求項１１に記載の統合された電源及び制御ユニット。
【請求項１３】
前記変換パラメータは、それぞれが第１のデータフォーマットと第２のデータフォーマットとの間の相関を定義する１以上のルックアップテーブルである、請求項１１に記載の統合された電源及び制御ユニット。
【請求項１４】
前記データ変換ユニットは、前記第１のデータフォーマットを自動的に識別するよう構成されたハードウェア及び／又はファームウェアを有する、請求項１に記載の統合された電源及び制御ユニット。
【請求項１５】
前記データ変換ユニットは、前記第１の電力フォーマットの自動的な識別に基づいて、データ変換プロセスを再構成するように構成された、請求項１４に記載の統合された電源及び制御ユニット。
【請求項１６】
前記動作パラメータは、前記第１のデータフォーマットの識別子を含む、請求項５に記載の統合された電源及び制御ユニット。
【請求項１７】
前記データ変換ユニットは、特定の第１のデータフォーマットを、特定の第２のデータフォーマットへと変換するように構成された、請求項１に記載の統合された電源及び制御ユニット。
【請求項１８】
前記データ変換ユニットは、前記統合された電源及び制御ユニットとの交換可能な相互接続が可能なモジュール又は回路基板として構成された、請求項１７に記載の統合された電源及び制御ユニット。
【請求項１９】
前記データ変換ユニットは、第１の学習モード及び第２の動作モードで動作するように構成され、前記第１の学習モードでの動作の間、前記データ変換ユニットは前記第１のデータフォーマットを識別するように構成された、請求項１に記載の統合された電源及び制御ユニット。
【請求項２０】
前記データ変換ユニットは、所定の時間の後に、前記第２の動作モードから前記第１の学習モードへと戻るように構成された、請求項１９に記載の統合された電源及び制御ユニット。
【請求項２１】
物理的な保護を提供するように構成された筐体に囲まれた、請求項１に記載の統合された電源及び制御ユニット。
【請求項２２】
前記筐体は更に環境的な保護を提供するように構成された、請求項２１に記載の統合された電源及び制御ユニット。
【請求項２３】
前記第１の電力フォーマット及び第２の電力フォーマットは、直流、パルス電流、交流、及びデータと統合された電流フォーマットから成る群から選択される、請求項１に記載の統合された電源及び制御ユニット。
【請求項２４】
前記第１のデータフォーマット及び第２のデータフォーマットは、ＤＡＬＩ、ＤＭＸ、ＲＤＭ、０−１０Ｖ、１−１０Ｖ、ＲＳ−２３２、ＲＳ−４８５及び独自のプロトコルから成る群から選択される、請求項１に記載の統合された電源及び制御ユニット。
【発明の詳細な説明】
【技術分野】
【０００１】
本発明は、照明の分野に関し、特に照明装置のための統合された電源及び制御ユニットに関する。
【背景技術】
【０００２】
固体半導体及び有機発光ダイオード（ＬＥＤ）のような発光装置の光束の開発及び改善における進歩は、これらの装置を、建築、娯楽及び道路の照明を含む、一般的な照明用途における利用のために適したものとしてきた。発光ダイオードは、白熱電球、蛍光灯及び高輝度放電ランプのような光源と、ますます競合するものとなっている。
【０００３】
現在、固体照明装置は、その動作のために制御データを受信する。該制御データは一般に、例えばＤＡＬＩ、ＤＭＸ又は知られた他のプロトコルのような、必要とされるフォーマットで構成される。該制御データは一般に、制御される固体照明装置に関連する必要とされるフォーマットで、供給源において構成される。それ故、供給源において利用されるプロトコルと、固体照明装置において利用されるプロトコルとの間の互換性が要求される。このことは、供給源が特定のプロトコルを利用するように構成され、それにより制御されるべき固体照明装置が異なるフォーマットを持つ制御データを必要とする場合に、問題に帰着する。それ故固体照明装置は、複数の異なるとり得る制御プロトコルのために再構成又はカスタマイズされる必要があり得、このことは構成要素、コスト及び複雑さを照明装置に追加し得る。
【０００４】
更に、特定の固体照明装置の配置場所に依存して、電圧供給、電流供給及び周波数を含む、種々のフォーマットで電源が構成され得る。
【０００５】
幾つかの公報は、電力及び制御信号がどのように照明装置へと供給され得るかを記載している。例えば米国特許出願公開2005/0289279は、娯楽照明用途に用いられる、例えば照明器具や調光器等のような装置を操作するためのシステム及び方法を記載している。実施例は、選択的にアドレス指定可能な出力部に結合された複数の斯かる装置を操作し、且つ斯かる装置と互換性のある通信プロトコルにおける業界標準の通信プロトコル（例えばＤＭＸ５１２、ＲＤＭ又はＡＣＮプロトコル）のコンバータを持つ電源を含む。
【０００６】
米国特許6,847,316は、自動車向けコントロールエリアネットワークの自動車向け装置と、非自動車向け（非自動車向け産業装置の）フィールドバスネットワークとの間で、メッセージを通信する方法を提供している。フィールドバスネットワークは、自動車向けコントロールエリアネットワークを規定するプロトコルとは異なる、産業装置に固有のフォーマットを用いるハードウェア及びソフトウェアプロトコルにより規定される、いずれかのデータ通信ネットワークとして定義される。該方法は、自動車向けコントロールエリアネットワークの自動車向け装置のうち１つから、又は非自動車向け（非自動車向け産業装置の）フィールドバスネットワークのうち１つから、固有のフォーマットのメッセージを受信するステップと、元の固有のメッセージフォーマットを共通言語フォーマットへと変換するステップと、保存された設定可能な規則のセットを介して共通の言語フォーマットのメッセージを処理するステップと、共通言語フォーマットの処理されたメッセージを、適切な宛先固有のメッセージフォーマットに変換するステップと、宛先固有のフォーマットのメッセージを、所望の自動車向け装置又は非自動車向け産業装置へと配信するステップと、を含む。
【０００７】
米国特許6,664,745、6,570,348及び6,331,756は、複数パラメータの照明設備とのディジタル通信のための装置を記載している。典型的な照明設備は、ランプアセンブリと該ランプアセンブリを制御するための通信ノードとを持つ、集積ユニットである。照明システムの一形式は、該照明設備と相互接続する少なくとも２つの通信システムを持つ。ディジタルコントローラが該通信システムのうち一方に接続され、当該通信システムの照明設備の少なくとも１つは、他の通信システムに制御信号を送信するための指定されたゲートウェイである。
【０００８】
米国特許6,292,901は、装置に電源供給するための方法及びシステムであって、データ信号を供給するステップと、前記装置に電源供給するために前記データ信号から電力を抽出するステップと、を含む方法及びシステムを記載している。該装置は、データ信号に応答する装置であっても良いし、又は他の装置であっても良い。該データ信号は、少なくとも２つのデータ状態の間で変化しても良く、該方法及びシステムは、一方又は両方の該データ状態の間に電力を抽出しても良い。該方法及びシステムは多重化器を含んでも良く、制御される装置は、プロセッサと関連するＬＥＤシステムのような、ＲＳ４８５準拠の装置であっても良い。該データ信号はＤＭＸ−５１２信号であっても良く、該データ信号は該装置の制御のためにプロセッサを制御しても良い。
【０００９】
米国特許6,930,455、6,020,825及び5,668,537は、幾つかのノードコントローラ間の通信のためのローカルエリアネットワークと、映画館、映画制作段階又は他のパフォーマンス環境において照明又は他の効果レベルを確立する際に利用される制御コンソール又は装置とを内蔵した、劇場用照明制御ネットワークを記載している。ネットワークの利用は、コンソール及び他のコントローラ又は監視装置の、効果コントローラのラックへの相互接続のための配線の大部分の必要性を取り除き、該システムの種々の構成要素の配置及び再配置における柔軟性を提供する。
【００１０】
同様に、米国特許出願公開2002/0181497は、第１のプロトコルの下で動作する装置から第２のプロトコルの下で動作する装置へと向けられた通信を適切に変換する、プロトコル変換器を記載している。該変換器は、これら２つの装置に結合され、該装置間の通信を、受信装置のために適切なフォーマットへと変換する。該変換器は、通信を受信装置のための適切なフォーマットへ変換し、次いで該変換された通信を受信装置へと送信する、プログラム可能なマイクロプロセッサを含んでも良い。該変換器は、異なるプロトコルの２つのバス構造の間に結合されても良い。ここで該バス構造の一方は、ＩＥＥＥ１３９４−１９９５バス構造である。代替として、該変換器及び該装置は全て、同一のバス構造に結合される。プロトコル変換プログラムは好適には、読み取り専用メモリ（ＲＯＭ）内に保存され、適切な変換を実行するためにマイクロプロセッサにより利用される。代替としては、該プログラム可能なマイクロプロセッサは、該変換器に結合された装置による適切な変換のためにプログラムされる。第２のプロトコルを利用する装置と通信するため、第１のプロトコルを利用する装置は、該第２のプロトコルを利用する装置のために意図された通信を、プロトコル変換器へと送信する。第１のプロトコルを利用する装置から送信された通信の受信の後、該プロトコル変換器は、第２のプロトコルを利用する装置のために適したフォーマットへと該通信を変換する。該変換された通信は次いで、第２のプロトコルを利用する装置へと送信される。
【００１１】
米国特許5,898,801は、複数のデータ端末装置間でのディジタル、アナログ及び離散的なデータの同時転送のための、非遮断型で双方向型の多チャネルのプロトコル依存型の光伝送システムを提供するように構成された、双方向型の冗長な光伝送システムを記載している。該光伝送システムは、双方向に光を伝送するための光伝送線と、信号光を受信、抽出及び転送するための光伝送線により直列に接続された複数のノードとを含む。各ノードは、電気信号を発行及び受信するためのデータ端末装置と、関連するデータ端末により発行された電気信号を光伝送線への挿入のための信号光へと変換するための、該データ端末装置と関連する電気光学インタフェース装置とを有する。該電気光学装置はまた、光伝送線から抽出された信号光を、関連するデータ端末により受信されるべき電気信号へと変換する。各ノードは更に、データ端末装置のために必要とされるプロトコル変換を実行するための、光インタフェース装置とデータ端末装置との間に接続される変換ロジック装置を有する。各ノードは更に、データ端末装置による受信のため電気光学インタフェース装置により電気信号に変換されるべき、光伝送線からの信号光を抽出するための、電気光学インタフェース装置及び光伝送線に接続された、光インタフェース装置を含む。該光インタフェースはまた、電気光学インタフェース装置から受信された信号光を光伝送線に挿入し、信号光を光伝送線上で双方向に送信する。
【００１２】
米国特許6,792,337は、電力配信システム又はその一部のための、電力管理アーキテクチャを記載している。該アーキテクチャは、取り付けられたスレーブ装置を監視及び制御し、種々の通信プロトコルでの複数の装置間の通信のための能力を提供する機能を備えるように構成された、知的電子装置（ＩＥＤ）を含む。マスタ／スレーブ型アーキテクチャ中のマスタＩＥＤは、スレーブＩＥＤから受信されたデータに対して、電力管理機能を実行する。更に、マスタ機能を持つＩＥＤはウェブサーバ機能を提供し、ＨＴＴＰ（Hyper Text Transfer Protocol）のようなオープン型のインターネットプロトコルによってユーザが処理されたデータを閲覧することを可能とする。
【００１３】
米国特許6,930,730は、ネットワークシステム内で種々のプロトコルによって、通信装置、消費者向け電子装置、オーディオ−ビデオ装置、アナログ装置、ディジタル装置、１３９４装置等のような種々の装置の動作を、集中的に且つ均一に制御するための装置、方法及びシステムを記載している。該特許は、ユーザにとってシームレスで透明に見えるような態様で、これら装置を集中的に制御するための制御システム及び均一ユーザインタフェースを提供する。一実施例においては、ネットワークシステムのコマンドセンタ又はハブが、全てのタイプの入力装置の集中化された且つシームレスな統合制御を可能とする、コンテキスト及び接続置換感応型の制御システムを含む。該制御システムは好適には、該ネットワークシステムのための均一のオンスクリーン型の集中制御システムを提供する、汎用型のアイコンベースのグラフィカルユーザインタフェースを含む。該ユーザインタフェースは視覚認識システムを含み、入力コマンド装置の単一の制御レイヤで操作している間に、ユーザが種々のプロトコルで複数の入力装置を透過的に制御することを可能とする。
【００１４】
米国特許6,192,282は、設計がモジュール方式であり、かくして特定のビルディングシステムの制御に影響を与えるために必要な命令の量を最小化する、改善されたビルディング自動化システムを記載している。プロセス間制御コマンドの比較的小型のセットが、比較的高いレベルのスクリプトにおいて利用されるプロセス間制御プロトコルを定義し、アプリケーションを制御する。該改善されたビルディング自動化システムは、或る特定の制御プロトコルの制御命令を、第２の制御プロトコルの制御命令へと変換するように動作する。テキストパースプログラムが、モジュール型の通信プログラム間でプロセス間通信コマンドをルーティングし、自動化されたビルディングシステムに対する制御に影響を与える。該テキストパースプログラムは、システムイベントに依存したプロセス間制御コマンドの条件付き通信を可能とする、実行可能な命令を含む。
【００１５】
米国特許出願公開2004/0225811は、標準的な入出力（Ｉ／Ｏ）コンピュータポートとＤＡＬＩ（Digital Addressable Lighting Interface）インタフェースとの間の、インタフェースブリッジを記載している。該ＤＡＬＩブリッジは、標準的なＩ／Ｏコンピュータインタフェースポートからの信号レベル及びプロトコルを、ＤＡＬＩ信号レベル及びプロトコルへと変換し、またその逆を実行する。ディジタルプロセッサが、プロトコル変換及びメッセージバッファリングのために利用される。信号レベル変換は、コンピュータポートと二線式ＤＡＬＩバスの電圧レベルとを適切に接続するために利用される。ビルディング照明システムにおける１つのＤＡＬＩ準拠装置及び／又は複数のＤＡＬＩ準拠装置のテスト及び制御のための標準的なコンピュータの使用が、該ＤＡＬＩブリッジにより容易化される。
【００１６】
欧州特許1,189,386は、オフィスビルディング又は住居に設置された屋内高機能ネットワークと、家庭用電気機器及び屋内通信ネットワークシステムのような低機能ネットワーク適応型機器との間で送受信された制御信号のプロトコルを、コネクタを利用して変換する機能を持つ、ネットワーク適応型プロトコル変換コネクタを記載している。一実施例においては、該プロトコル変換コネクタは、屋内に設置された通信ネットワークに接続される一次接続部と、ネットワーク適応型機器に接続される二次接続部と、該通信ネットワークと該ネットワーク適応型機器との間で送受信される制御信号のためのプロトコルを変換するためのプロトコル変換インタフェースと、前記二次接続部に接続されるネットワーク適応型機器へと電力を供給するための供給接続部と、を有する。電力線搬送システム又は無線通信システムにおける使用のために設計された、更に改善及び拡張されたコネクタも開示されている。
【発明の開示】
【発明が解決しようとする課題】
【００１７】
通信プロトコル間の変換のための装置及び構成が存在するが、電力及び制御データの供給とは独立して、必要な電力及び制御データを固体照明装置に供給することができる、統合された電力及び制御ユニットに対するニーズが依然として存在する。
【００１８】
該背景の情報は、本発明に関連のある可能性が高いと本出願人が考える情報を示すために提供されるものである。上述した情報のいずれも、本発明に対する先行技術を構成するものとして認められることは必ずしも意図されておらず、そのように解釈されるべきでもない。
【課題を解決するための手段】
【００１９】
本発明の目的は、固体照明装置のための統合された電源及び制御ユニットを提供することにある。本発明の一態様によれば、固体照明装置を用いた使用のために構成された、統合された電源及び制御ユニットであって、電源への接続のために構成された、第１の電力フォーマットの電力を受信するための電力入力部と、制御データの供給源への接続のために構成された、第１のデータフォーマットの制御データを受信するためのデータ入力部と、前記電力入力部及び前記データ入力部に結合された変換装置であって、前記第１の電力フォーマットの電力を第２の電力フォーマットの電力へと変換するように構成された電力変換ユニットを含み、前記第１のデータフォーマットの制御データを、第２のデータフォーマットの制御データへと変換するように構成されたデータ変換ユニットを含む変換装置と、前記固体照明装置への接続のために構成された、前記第２の電力フォーマットの電力及び前記第２のデータフォーマットの制御データを前記固体照明装置へと送信する、電力及びデータ出力部と、を有し、これにより前記第１の電力フォーマット及び前記第１のデータフォーマットとは独立して、必要とされるフォーマットで電力及び制御データを前記固体照明装置へと供給する、統合された電源及び制御ユニットが提供される。
【発明を実施するための最良の形態】
【００２０】
定義
「発光素子」なる語は、例えば電位差を印加することにより又は電流を通すことにより起動されたときに、例えば可視領域、赤外領域及び／又は紫外領域についての電磁スペクトルの一領域又は領域の組み合わせにおける放射を発する装置を定義するために用いられる。それ故発光素子は、単色、準単色、多色又は広帯域のスペクトル発光特性を持ち得る。発光素子の例は、当業者により容易に理解されるであろうように、半導体、有機、又は高分子の発光ダイオード、光学的に励起された蛍光剤塗布発光ダイオード、光学的に励起されたナノ結晶発光ダイオード、又はその他の同様な装置を含む。
【００２１】
「約」なる語はここでは、公称値からの±１０％の変動を示す。斯かる変動は、明示されているかいないかにかかわらず、ここで示されるいずれの値にも常に含まれることは、理解されるべきである。
【００２２】
定義されていない限りは、ここで使用される全ての技術的および科学的な用語は、本発明が属する分野における当業者によって一般的に理解されるものと同じ意味を持つ。
【００２３】
本発明は、固体照明装置との使用のための、統合された電源及び制御ユニットを提供する。本統合された電源及び制御ユニットは、電力入力部とデータ入力部とを有する。電力入力部は電源から電力を受信し、該電力は第１の電力フォーマットで構成されている。データ入力部は制御データ源から制御データを受信し、該制御データは第１のデータフォーマットで構成されている。本統合された電源及び制御ユニットは更に、前記電力入力部及びデータ入力部と結合された変換装置を有する。該変換装置は、第１の電力フォーマットの電力を、第２の電力フォーマットの電力へと変換するように構成される。該変換装置は更に、第１のデータフォーマットの制御データを、第２のデータフォーマットの制御データへと変換するように構成される。第２の電力フォーマット及び第２のデータフォーマットは、必要とされる固体照明装置の電力及びデータのフォーマットに準拠するものである。本統合された電源及び制御ユニットは更に、固体照明装置への接続のために適応された電力及びデータ出力部を有し、これにより、必要とされるフォーマットでの電力及び制御データの、固体照明装置への伝送を可能とする。このようにして、本統合された電源及び制御ユニットは、本統合された電源及び制御ユニットにより元々受信された電力フォーマット及び制御データフォーマットとは独立して、必要なフォーマットで電力及び制御データの双方を固体照明装置へと供給することが可能である。
【００２４】
電力入力部
電力入力部は、直流、パルス電流、交流及びデータと統合された電流フォーマットを含む種々のフォーマットの電力を受信するように構成される。例えば交流型の電源に関しては、該電力入力部は、種々の電圧及び周波数の電力を受信するように構成されても良い。
【００２５】
本発明の一実施例においては、電力入力部は、電源ケーブルに対する着脱可能な接続を提供するように構成される。他の実施例においては、先端にプラグを備えた電源リード線が、電力入力部を介して、本統合された電源及び制御ユニットへと配線されても良い。
【００２６】
本発明の一実施例においては、本統合された電源及び制御ユニットの電力入力部は、電力の供給のための電源ケーブルの接続を可能とする、バネ式クランプ端子ブロックを持つ。一実施例においては、電源エーブルの端が、該端子ブロックへの接続の前に被膜を剥がされる。他の実施例においては、電源ケーブルの端子ブロックへの接続のために、圧着型端子又はネジ式端子が利用されても良い。
【００２７】
他の実施例においては、本統合された電源及び制御ユニットの電力入力部は、国際電気標準会議（International Electrotechnical Commission、ＩＥＣ）のパネル取り付けプラグ（ＩＥＣラインソケットのようなコネクタを受容する）のような、業界標準の電源インレットとして構成されても良い。当業者は、本統合された電源及び制御ユニットに供給され得る入力電力の他のフォーマット、及び入力電力の当該フォーマットのために必要とされる電力入力構成を、容易に理解するであろう。
【００２８】
データ入力部
データ入力部は、ネットワーク伝送プロトコル、及び照明装置の動作のために利用される他のプロトコルを含む、種々のフォーマットの制御データを受容するように構成される。該データ入力部は例えば、ＤＭＸ、ＤＡＬＩ、０−１０Ｖ、１−１０Ｖ、ＲＳ−２３２、ＲＳ−４８５、ＲＤＭ、独自プロトコル、又は当業者に知られた他のプロトコルフォーマットの制御データを受容するように構成されても良い。該データ入力部は更に、ユーザからの直接入力を受容することが可能であっても良く、ここで該直接入力は例えば、手動の制御の利用による、固体照明装置からの出力光の所望される光束及び色度を定義しても良い。
【００２９】
本発明の一実施例においては、手動の制御入力が、データ入力部に結合された例えばスイッチ又は電位差計等のように、ディジタル又はアナログで構成されることができる。
【００３０】
本発明の一実施例においては、データ入力部として構成されたケーブルホイップ（cable whip）が、本統合された電源及び制御ユニットから延在する。該ケーブルホイップのケーブルは、制御データを搬送する外部ケーブルと、例えば圧着により又は当業者には知られた他のコネクタフォーマットで、接続されても良い。
【００３１】
他の実施例においては、本統合された電源及び制御ユニットのデータ入力部は、制御データの供給を可能とするデータ供給ケーブルの接続のための、バネ式クランプ端子ブロックを持つ。
【００３２】
他の実施例においては、制御データのフォーマットが予め決定されている場合には、該予め決定された制御データフォーマットのための業界標準のコネクタが利用されても良い。例えば、制御データがＤＭＸフォーマットで構成される場合には、５ピンのＸＬＲコネクタがデータ入力部として利用されても良い。
【００３３】
変換装置
変換装置は、データ入力部から制御データを受信し、電力入力部から電力を受信し、これら電力及び制御データの受信されたフォーマットを、制御される固体照明装置に準拠したフォーマットへと変換するように構成される。該変換装置は更に、固体照明装置への後続する伝送のために、これら所望のフォーマットの電力及び制御データを、電力及びデータ出力部へと伝送する。
【００３４】
本発明の一実施例においては、該変換装置は、既知のフォーマットで構成された電力及び制御データを受容し、続いて該既知のフォーマットの電力及び制御データを、該統合された電力及び制御ユニットが接続された固体照明装置又は固体照明装置のネットワークの動作のために所望されるフォーマットの電力及び制御データへと変換するように構成される。
【００３５】
本発明の一実施例においては、該変換装置は、固体照明装置のネットワークの制御のために、電力及び制御データを変換する。ネットワークの特定の固体照明装置のために所望されるフォーマットへの電力及び制御データの変換の際、該変換装置は更に、該電力及び制御データにアドレスを関連付けても良い。該アドレスは、当該特定の固体照明装置を識別する。このようにして、それぞれが所望のフォーマットの、正確な電力及び制御データが、該ネットワーク中の特定の固体照明装置へと送信されることができる。
【００３６】
本発明の一実施例においては、１以上の固体照明装置が変換装置に動作可能に結合され、１以上の固体照明装置が、該変換装置が、該１以上の固体照明装置により必要とされる電力及び／又はデータフォーマットを自動的に決定するために、該１以上の固体照明装置に対して能動的にクエリ送信することを可能とするように構成される。
【００３７】
電力変換ユニット
電力変換ユニットは、制御される固体照明装置に準拠する電力フォーマットへと、受信された電力フォーマットを変換するように構成される。
【００３８】
一実施例においては、入力電力の電圧、入力電力の電流及び入力電力の周波数のうちの１つ又はこれらの組み合わせの、所望の電力フォーマットへの調節を提供することが可能な、該電力変換ユニットは１以上の変換器及び他のハードウェアを有しても良い。
【００３９】
本発明の一実施例においては、電力変換ユニットは、入力電圧を受容し、該入力電圧を、予期される入力電圧レベルよりも高く選択された所定のレベルへと増大又は増幅させるように構成される。入力電力の当該増幅は、固体照明装置により必要とされる所望の電力フォーマットへの変換の前に実行される。電力変換ユニットの当該構成はかくして、所定のレベルへの増幅の後に入力電力が変換されるため、大きな範囲の電圧を受容することが可能となり得る。
【００４０】
固体照明装置の動作の間、該固体照明装置のための所望の電力フォーマットは、該固体照明装置の動作のモードに依存して、又は所望の効率レベルで該照明装置を動作させるための要件に依存して、変化しても良い。
【００４１】
本発明の一実施例においては、電源変換ユニットは、入力される電力のフォーマットを自動的に検出し、電力変換ユニットが検出されたフォーマットの入力電力を所望のフォーマットの出力電力へと変換することを可能とするために電力変換プロセスを適切に調節又は再構成するように構成された、ハードウェア及び／又はファームウェアを有する。例えば、電力変換ユニットの当該検出及び再構成は、変換ユニットが、固体照明装置からフィードバック信号を受信することにより達成される。ここで、該フィードバック装置は、固体照明装置により必要とされる電力のフォーマットを示す。一実施例においては、該フィードバック信号は、初期レベルの出力電力の固体照明装置への供給の際に、又は電力が該固体照明装置へ供給されてから僅かの後に、該固体照明装置から受信されても良い。
【００４２】
他の実施例においては、クエリ信号の固体照明装置への送信に応答して、フィードバック信号が受信されても良い。例えば、変換装置は、固体照明装置への接続部において、該固体照明装置へと２５Ｖを最初に供給しても良い。該固体照明装置は続いて、該固体照明装置が２３Ｖのみを必要とすることを示す信号を、該変換装置へと送信する。該変換装置の電力変換ユニットは続いて、該電力変換ユニットが所望される電力フォーマット、即ち２３Ｖの電圧の電力を供給するように、自動的に再構成される。
【００４３】
他の例として、変換ユニットは、固体照明装置に対して動作要件即ち必要とされる電力フォーマットを供給するように明示的に要求するクエリを、該固体照明装置に送信しても良い。クエリの当該フォーマットは、当業者には容易に理解されるであろうように、たとえば識別子、位置又は他の目的のためのＲＦＩＤタグをクエリ送信することと類似するものであっても良い。当該構成においては、変換ユニット及び固体照明装置の双方が、該能動的なクエリ送信を可能とするように適切に構成され、このタイプの構成は当業者に容易に理解されるであろう。
【００４４】
本発明の一実施例においては、電力変換ユニットは、線形の又はスイッチモードの電源である、調整電源である。例えば、電力変換ユニットのＤＣ出力電圧が、固体照明装置からのフィードバック信号を供給することができるフィードバックループにより調整され、それにより電力変換ユニットにより供給されるＤＣ出力電圧を設定しても良い。例えば、異なる固体照明装置（名目上同一のものであってさえも良い）は典型的に、異なる転送電圧要件（例えば固体照明装置における種々の構成発光素子により必要とされる最小転送電圧）に対応する異なるフィードバック信号を送信することとなる。
【００４５】
一実施例においては、所望の効率のため、電力変換ユニットは、最小必要電圧を供給するように構成される。電力変換ユニットは、例えばバック（buck）型、ブースト型、バック−ブースト型、セピック（sepic）型、フライバック（flyback）型、又は当業者には知られたその他のタイプの電源のような電源として構成されても良い。本分野においては知られているように、これらのタイプの電源は、ＤＣ、ＡＣ又はパルス型のような、様々な入力電力フォーマットを受容することができる。電力変換ユニットにより供給される電力の出力フォーマットは、固体照明装置からのフィードバック信号を介して、必要とされる電圧又は電流へと調節されることができる。
【００４６】
一実施例においては、電力変換ユニットは、特定のフォーマットの入力電力を、所望の電力フォーマットの出力電力へと変換するように構成される。例えば、該電力変換ユニットは、特定の入力電力を特定の出力電力へと変換するように特に設計された、所定の及び再構成不可能な変換システムを内部に持つ。本実施例においては、変換装置は、関連する電力変換ユニットの交換を可能とするように構成され、それにより、同一の変換装置が、代替フォーマットの電力の、所望の電力フォーマットへの変換のために適応可能となることを可能とても良い。例えば、該フォーマットの変換装置内の電力変換ユニットへの全ての接続は、取り外し可能な結合器又は取り外し可能なコネクタ等として形成されても良い。
【００４７】
一実施例においては、電力変化ユニットは、着脱可能な回路基板又はモジュールとして構成される。例えば、所望の電力フォーマットが、電力変換ユニットにより現在利用可能な範囲の外である場合には、該電力変換ユニットは、該所望の電力フォーマットを供給することが可能な置換回路基板モジュール上に構成された電力変換ユニットであっても良い、他の電力変換ユニットによって置き換えられても良い。一実施例においては、該回路基板モジュールは、必要とされる特定のタイプの入力及び出力電力フォーマットのための電力変換の効率を略最大化するために選択されても良い。
【００４８】
他の実施例においては、変換されるべき電力フォーマットが、該フォーマットに重畳されたデータ信号を持つ場合には、電力変換ユニットは、電力信号から制御データ信号を分離するように構成されたフィルタ又はその他の装置を有する。本実施例においては、抽出された制御データは続いて、必要であれば、後続する変換のためにデータ変換ユニットへと送られる。制御データの抽出の際に、電力は、固体照明装置によって必要とされる所望の電力フォーマットへと変換されても良い。
【００４９】
データ変換ユニット
データ変換ユニットは、受信されたデータフォーマットの制御データを、制御される固体照明装置に準拠したデータフォーマットへと変換するように構成される。
【００５０】
該データ変換ユニットは、既知のデータフォーマットの入力制御データを、所望のデータフォーマットの出力制御データへと変換するように構成された、１以上のファームウェア／ソフトウェア及びハードウェアを有する。該データ変換ユニットは、制御データの変換のためのプロセッサ又はマイクロコントローラを有し、例えばＲＡＭ、ＰＲＯＭ、ＥＰＲＯＭ、ＥＥＰＲＯＭ等又は当業者には容易に理解されるであろう同様のメモリのようなメモリに結合され該メモリにアクセスすることが可能である。
【００５１】
本発明の一実施例においては、変換パラメータ（例えば或るアルゴリズムのフォーマットの）がプロセッサ又はマイクロプロセッサによるアクセスのためにメモリに保存され、それにより変換プロセスを可能とする。例えば、メモリには、既知のフォーマットの制御データを、所望のフォーマットの制御データへと変換するための変換パラメータが保存されても良い。加えて、所望のフォーマットの制御データが変更され得る場合には、該メモリは、例えば（これらに限定するものではないが）ＤＡＬＩからＲＤＭへ、ＤＭＸからＤＡＬＩへ、ＲＤＭからＤＡＬＩへ、又は既知のデータフォーマットから独自のデータフォーマットへ、といったような、種々のデータフォーマット間での変換のための変換パラメータを有しても良い。
【００５２】
他の実施例においては、変換パラメータは、プロセッサ又はマイクロプロセッサによりアクセス可能であり、既知のフォーマットの制御データを対応する所望のフォーマットの制御データと相関付けるルックアップテーブルとして構成される、メモリに保存されても良い。
【００５３】
本発明の一実施例においては、データ変換ユニットは、データ入力部より受信された第１のフォーマットの制御データを、プロセッサ又はマイクロプロセッサにより読み取られ操作されることができる信号へと変換するハードウェアにより構成される。例えば、該ハードウェアは、例えば増幅器、レベルシフタ、光結合素子、無線トランシーバ、フィルタ、又はプロセッサによる操作のために受信された制御データに対して前提条件付けするその他の回路のような回路の集合であっても良い。プロセッサは続いて、該ハードウェアから受信された信号から、必要とされる制御データを抽出するように構成されても良い。該プロセッサは続いて、既知の第１のフォーマットの制御データと所望のフォーマットの制御データとの間の相関から決定されたパラメータのセットに基づいて、制御データを、固体照明装置に準拠したフォーマットへと変換しても良い。一実施例においては、前記プロセッサにより生成された所望のフォーマットの制御データは、該制御データが固体照明装置へと出力される前に、例えば増幅器、レベルシフタ、光結合素子、無線トランシーバ、フィルタ、又はその他の回路のようなハードウェアにより、前提条件付けされても良い。
【００５４】
一実施例においては、データ変換ユニットは、特定のフォーマットの入力データを、特定の所望のフォーマットの出力データへと変換するように構成される。例えば、データ変換ユニットは、特定の入力データフォーマットを特定の出力データフォーマットへと変換するように特に設計された、所定の及び再構成不可能な変換システムを内部に持つ。本実施例においては、変換装置は、特定の変換装置と関連するデータ変換ユニットの交換を可能とするように構成されても良く、これにより同一の変換装置が、代替フォーマットのデータの変換のために適応可能となることを可能とする。例えば、当該フォーマットの変換装置内のデータ変換ユニットへの全ての接続部が、取り外し可能な結合器又は取り外し可能なコネクタ等として形成される。このようにして、該データ変換ユニットは、統合された電源及び制御ユニットが、固体照明装置を変更することなく、又は該統合された電源及び制御ユニットと固体照明装置との間の物理的又は電気的な接続を変更することなく、異なる入力データフォーマットを受容するように手動で再構成されることができるように交換されることができる。
【００５５】
本発明の一実施例においては、データ変換ユニットのハードウェア及び／又はファームウェアは、入力される制御データのフォーマットを自動的に検出し、変換プロセスを適切に調節又は再構成して、該データ変換ユニットが、検出されたフォーマットの入力制御データを、所望のフォーマットの制御データへと変換することを可能とするように構成される。例えば、入力データフォーマット及び所望の出力データフォーマットの特定の際、データ変換ユニットは、プロセッサ又はマイクロプロセッサを介して、メモリにアクセスし、データ変換処理を可能とするために適切な変換アルゴリズム又はルックアップテーブルをアップロードしても良い。
【００５６】
本発明の一実施例においては、データ変換ユニットのハードウェア及び／又はファームウェアは、データ出力の必要とされるフォーマットを自動的に検出し、データ変換プロセスを適切に調節又は再構成して、該データ変換ユニットが、既知の又は検出されたフォーマットの入力データフォーマットに対して、検出されたフォーマットの出力データを変換することを可能とするように構成される。例えば、このことは、固体照明装置からフィードバック信号を受信することにより実現される。ここで該フィードバック信号は、該照明装置により必要とされるデータのフォーマットを示す。該フィードバック信号は、変換装置の照明装置への初期接続の際に、又は照明装置への初期電力レベルの供給の際に、変換装置及びとりわけデータ変換ユニットへと送信されても良い。
【００５７】
本発明の一実施例においては、変換ユニットは、固体照明装置が動作要件即ち必要とされるデータフォーマットを供給するように明示的に要求するクエリを、該固体照明装置に送信しても良い。クエリの当該フォーマットは、当業者には容易に理解されるであろうように、たとえば識別子、位置又は他の目的のためのＲＦＩＤタグをクエリ送信することと類似するものであっても良い。当該構成においては、変換ユニット及び固体照明装置の双方が、該能動的なクエリ送信を可能とするように適切に構成され、この構成は当業者に容易に理解されるであろう。
【００５８】
本発明の一実施例においては、データ変換ユニットは、例えば「学習モード」及び「動作モード」のような、多モード動作のために構成されても良い。例えば、「学習モード」においては、該データ変換ユニットは、入力された制御データを検出して該データのフォーマットを評価するように構成されても良く、それにより、該入力された制御データを所望のフォーマットの制御データへと変換するための、例えば適切な変換アルゴリズム又はルックアップテーブルの選択のための手段を提供する。入力された制御データのフォーマットの識別の際、該データ変換ユニットは例えば、該データ変換ユニットが該入力された制御データを所望のフォーマットへと変換することを可能とする「動作モード」で動作しても良い。
【００５９】
本発明の一実施例においては、データ変換ユニットは、該ユニットが入力されるデータを検出する所定の時間の後にのみ、「動作モード」から「学習モード」へと戻るように構成される。「動作モード」の期間の間、該データ変換ユニットはデータ受信エラーを識別し続けても良く、ここでこれらデータ受信エラーは、データプロトコルにおける起こり得る変更を示しても良い。本実施例においては、該データ変換ユニットは、計算リソースを、制御データのフォーマットを評価するための入力制御データの継続的な検査に専ら費やす必要はない。例えば、「学習モード」へ戻るための時間遅延の終了に先立って、該データ変換ユニットは、以前に決定された制御データフォーマットが依然として正当であると仮定しても良い。更に例えば、制御データ伝送が、該時間遅延の終了に先立って終了した場合には、新たな制御データの到着時に、データ変換ユニットが、以前に決定された制御データフォーマットが依然として正当であると仮定することとなる。
【００６０】
本発明の一実施例においては、データ変換ユニットは、制御データ転送に先立って又は制御データ転送の間に、制御データフォーマット識別子を受信するように構成されても良い。このようにして、入力される制御データのフォーマットが定義され、データ変換ユニットは、入力される制御データのフォーマット又はプロトコルを評価するために自動検出手順を実行する必要がなくなる。
【００６１】
電力及びデータ出力部
電力及びデータ出力部は、所望の電力フォーマットの電力、及び所望のデータフォーマットの制御データが、固体照明装置又は固体照明装置のネットワークへと送信されるようにする手段である。
【００６２】
電力及びデータ出力部の構成は、固体照明装置への電力及び制御データの送信のための手段と準拠したものであっても良い。例えば、電力−データ出力部は、有線又は無線伝送を可能とするように構成されても良い。
【００６３】
本発明の一実施例においては、電力及びデータ出力部は、２つの別個の出力部として構成される。他の実施例においては、電力及びデータ出力部は、電力及びデータの双方を共に所望のフォーマットで転送する、単一の出力部として構成される。
【００６４】
本発明の一実施例においては、電力及びデータ出力部は、ＲＳ−４８５出力部を加えたＤＣ電圧出力部として構成される。
【００６５】
筐体
本発明の一実施例においては、本統合された電源及び制御ユニットは、該統合された電源及び制御ユニットに対する物理的な及び任意に環境的な保護を提供することができる、筐体により囲まれる。該筐体は、該統合された電源及び制御ユニットの電力入力部、データ入力部及び電力−データ出力部に対する動作可能な接続を可能とする開口を備えるよう構成される。
【００６６】
一実施例においては、該筐体は、前記ユニットの装着のための固定手段を含む。
【００６７】
図１及び図２は、本発明の一実施例による、筐体を備えた統合された電源及び制御ユニットの、正面斜視図及び後面斜視図をそれぞれ示す。
【００６８】
図３は、図１の正面斜視図の展開図である。前記筐体は、３個の嵌め合わせ部品１０、２０及び３０から形成される。本統合された電源及び制御ユニットは、電力変換を提供することができる、変換器３０並びにその他のハードウェア及びファームウェアを有する。データ変換基板８０は結合器６０によりＰＣＢに結合され、該データ変換基板は、制御データの所望のデータフォーマットへの変換を提供することができる。加えて、電力入力部４０及びデータ入力部が、図示されるようにＰＣＢ上に搭載され、該電力入力部及びデータ入力部は、変換装置のそれぞれの部分に動作可能に接続される。
【００６９】
図４は、本発明の一実施例による統合された電源及び制御ユニットの、模式的な表現を示す。照明装置（図示されていない）が、電力出力コネクタ７８、データ出力コネクタ７２およびフィードバックコネクタ７１に接続される。入力電力は電力入力コネクタ７５に接続され、入力データはデータ入力コネクタ７４に接続される。電力変換ユニット７６は、入力電力フォーマットによる電力を、出力電力フォーマットへと変換する。データ変換ユニット７３は、入力データフォーマットを出力データフォーマットへと変換する。所望される出力電力フォーマットを規定する信号は、フィードバックコネクタ７１から、内部接続７７を介して、電力変換ユニット７６へと通過する。データ変換ユニット及び電力変換ユニットは共に、複数のフォーマットの電力及びデータへと、及び複数のフォーマットの電力及びデータから、変換するように構成されても良い。フィードバック接続部は、照明装置から受信された情報を供給する。該情報は、必要とされる電力フォーマット若しくは必要とされるデータフォーマット又はその両方を示すものである。
【００７０】
図５Ａ、５Ｂ及び５Ｃは、本発明の他の実施例による統合された電源及び制御ユニットの斜視図を示す。図５Ａは、データ変換ユニットが除去された、統合された電源及び制御ユニットを示し、一方図５Ｂ及び５Ｃは、データ変換ユニット１００が搭載された、同一の統合された電源及び制御ユニットを示す。
【００７１】
図６は、データ変換ユニットが除去された、本発明の一実施例による統合された電源及び制御ユニットの正面斜視図である。図７は、図６の統合された電源及び制御ユニットの展開図である。図８Ａ及び８Ｂは、データ変換ユニット１０１が搭載された、図６の統合された電源及び制御ユニットの正面斜視図である。
【００７２】
図９は、本発明の一実施例によるデータ変換ユニットを動作させるために必要とされ得る電力変換段を示す。図９は更に、本発明の一実施例による、データ変換段と電力変換ユニットとの間の相互接続を可能とすることができる接続メカニズムを示す。
【００７３】
図１０は、プロセッサが第１のデータフォーマットを第２のデータフォーマットへと変換するように構成された、本発明の一実施例によるプロセッサの図を示す。図１１は、入力されるデータ信号を図１０のプロセッサにより必要とされる適切な電圧レベルへと変換するために利用され得る、本発明の一実施例によるハードウェア回路を示す。図１２は、入力されるデータ信号を図１０のプロセッサにより必要とされる適切な電圧レベルへと変換するために利用され得る、本発明の一実施例による他のハードウェア回路を示す。図１３は、入力されるデータ信号を図１０のプロセッサにより必要とされる適切な電圧レベルへと変換するために利用され得る、本発明の一実施例による他のハードウェア回路を示す。図１３において更に示されているものは、図１０のプロセッサにより生成される信号を、本統合された電源及び制御ユニットが動作可能に接続された固体照明装置により必要とされる適切な電圧レベルへと変換するために利用され得る、本発明の一実施例によるハードウェアである。
【００７４】
図１４は、本発明の一実施例による電力変換ユニットの模式的な表現であり、本図は、本発明の一実施例による入力電力接続部、入力電力変換段、出力電力変換段、出力電力接続部及び入出力データ接続部を示している。
【００７５】
固体照明装置
固体照明装置は、固体照明器具を有しても良い。固体照明器具は、それぞれが同一の公称色の発光素子を有しても良い、１以上の発光素子から成る１以上の群を有しても良い。種々の色は、所望される発光素子の赤、緑、青、黄又はその他の色の組み合わせであっても良い。固体照明装置は、該照明装置に統合された発光素子の色域内である色度を持つ光を生成することができる。固体照明装置により生成される光を制御するためには、各発光素子により又は発光素子の群のそれぞれにより生成される光の量を制御する必要がある。１以上の発光素子から成る群の所望される動作特性を決定するため、固体照明装置内のコントローラが、必要とされるフォーマットで構成された制御データを受信しても良い。該コントローラは続いて、該制御データに応じて、１以上の発光素子から成る１以上の群に制御信号を供給し、それにより該群の動作を制御し、それ故該照明装置により出力される光の光束及び色度を制御しても良い。
【００７６】
１以上の固体照明装置が、照明ネットワークを形成するように構成されても良い。固体照明ネットワークのプロトコルは、該照明ネットワーク中の照明装置の動作条件を制御しても良い。照明ネットワーク中の照明器具が効果的にアドレス指定されることができる場合には、該固体照明ネットワークのプロトコルは、１以上のマスタコントローラにより実装されることができる。該ネットワークは、例えばＤＡＬＩ、ＤＭＸ、独自のプロトコル又は当業者には知られたその他の適切な通信プロトコルのようなデータ伝送プロトコルを用いて、有線又は無線通信ネットワークによって確立されることができる。
【００７７】
以上の本発明の実施例は例であり、多くの態様で変更され得ることは明らかである。斯かる現在の又は将来の変更は、本発明の精神及び範囲からの逸脱とみなされるべきものではなく、斯かる変更は全て、当業者には明らかであるように、請求の範囲内に含まれることが意図される。
【００７８】
本明細書において参照される公開された特許出願を含む全ての特許及び公報、並びにデータベースのエントリの開示は、斯かる個々の特許、公報及びデータベースのエントリが参照によって組み込まれることが明確に及び個別に示された場合と同程度に、その全体が参照によって明確に組み込まれたものとする。
【図面の簡単な説明】
【００７９】
【図１】本発明の一実施例による統合された電源及び制御ユニットの正面斜視図である。
【図２】図１の統合された電源及び制御ユニットの後面斜視図である。
【図３】図１の統合された電源及び制御ユニットの分解図である。
【図４】本発明の一実施例による統合された電源及び制御ユニットのブロック図である。
【図５】図５Ａは、データ変換ユニットが除去された、本発明の他の実施例による統合された電源及び制御ユニットの斜視図であり、図５Ｂは、データ変換ユニットが搭載された、図８Ａの統合された電源及び制御ユニットの斜視図であり、図５Ｃは、データ変換ユニットが搭載された、図８Ａの統合された電源及び制御ユニットの他の斜視図である。
【図６】データ変換ユニットが除去された、本発明の一実施例による統合された電源及び制御ユニットの正面斜視図である。
【図７】図６の統合された電源及び制御ユニットの展開図である。
【図８】図８Ａは、データ変換ユニットを備えた、図６の統合された電源及び制御ユニットの正面斜視図であり、図８Ｂは、データ変換ユニットが搭載された、図６の統合された電源及び制御ユニットの正面斜視図である。
【図９】データ変換ユニットを動作させるために必要とされ得る、本発明の一実施例による電力変換段を示し、更に、本発明の一実施例による、データ変換段を電力変換ユニットと結合することができる接続メカニズムを示す。
【図１０】プロセッサが第１のデータフォーマットを第２のデータフォーマットへと変換するように構成された、本発明の一実施例によるプロセッサを示す。
【図１１】入力されるデータ信号を図１０のプロセッサにより必要とされる適切な電圧レベルへと変換するために利用され得る、本発明の一実施例によるハードウェア回路を示す。
【図１２】入力されるデータ信号を図１０のプロセッサにより必要とされる適切な電圧レベルへと変換するために利用され得る、本発明の一実施例による他のハードウェア回路を示す。
【図１３】入力されるデータ信号を図１０のプロセッサにより必要とされる適切な電圧レベルへと変換するために利用され得る、本発明の一実施例による他のハードウェア回路を示し、更に、図１０のプロセッサにより生成される信号を固体照明装置により必要とされる適切な電圧レベルへと変換するために利用され得る、本発明の一実施例によるハードウェアを示す。
【図１４】入力電力接続部、入力電力変換段、出力電力変換段、出力電力接続部及び入出力データ接続部が示された、本発明の一実施例による電力変換ユニットの模式的な表現である。
【図１】
2009534786.tif 000003
【図２】
2009534786.tif 000004
【図３】
2009534786.tif 000005
【図４】
2009534786.tif 000006
【図５】
2009534786.tif 000007
【図６】
2009534786.tif 000008
【図７】
2009534786.tif 000009
【図８】
2009534786.tif 000010
【図９】
2009534786.tif 000011
【図１０】
2009534786.tif 000012
【図１１】
2009534786.tif 000013
【図１２】
2009534786.tif 000014
【図１３】
2009534786.tif 000015
【図１４】
2009534786.tif 000016
【国際調査報告】
2009534786.tif 000017
2009534786.tif 000018